(57)【要約】【課題】係止部材による取付構造を有する照明装置の種々の取付態様による取付けを可能にすること。【解決手段】実施形態の駆動装置は、光源を支持する枠体であって、外周壁に係止部材を取り付ける係止部材取付部が設けられる枠体を有する照明装置の取付けに用いられる取付部材であって、第１取付部と、第２取付部とを備える。第１取付部は、枠体の外周壁に沿って配置される基部に設けられ、枠体の係止部材取付部に取り付けられる。第２取付部は、基部の一端部に設けられ、照明装置と異なる被取付対象に取り付けられる。【選択図】図２
2018195386.tif 000002
【特許請求の範囲】
【請求項１】
光源を支持する枠体であって、外周壁に係止部材を取り付ける係止部材取付部が設けられる枠体を有する照明装置の取付けに用いられる取付部材であって、
前記枠体の外周壁に沿って配置される基部に設けられ、前記枠体の前記係止部材取付部に取り付けられる第１取付部と、
前記基部の一端部に設けられ、前記照明装置と異なる被取付対象に取り付けられる第２取付部と、
を備える取付部材。
【請求項２】
前記第１取付部は、前記枠体の外周壁に沿って等間隔に設けられる前記係止部材取付部に取り付けられる請求項１に記載の取付部材。
【請求項３】
前記基部の前記一端部とは反対側の他端部に設けられ、他の取付部材と連結される第１連結部と、
前記基部の前記一端部に設けられ、前記他の取付部材の第１連結部と連結される第２連結部と、
をさらに備える請求項１または請求項２に記載の取付部材。
【請求項４】
前記第１取付部は、前記枠体に設けられる奇数個の係止部材取付部と同じ数だけ前記基部に設けられる請求項３に記載の取付部材。
【請求項５】
前記第１取付部は、前記一端部と前記他端部との間において等間隔に設けられる請求項３または請求項４に記載の取付部材。
【請求項６】
請求項３〜５のいずれか１項に記載の取付部材である第１取付部材と、
前記第１取付部材の前記第１連結部に第２連結部が連結され、前記第１取付部材の前記第２連結部に第１連結部が連結される取付部材である第２取付部材と、
を備える取付ユニット。
【請求項７】
前記第１取付部材と前記第２取付部材とにより、前記枠体の外周壁を囲む位置に前記照明装置を支持する請求項６に記載の取付ユニット。
【請求項８】
前記第１取付部材は、前記第２取付部により第１被取付対象に取り付けられ、
前記第２取付部材は、前記第２取付部により第１被取付対象に対向する第２被取付対象に取り付けられる請求項６または請求項７に記載の取付ユニット。
【請求項９】
請求項１〜５のいずれか１項に記載の取付部材、または、請求項６〜８のいずれか１項に記載の取付ユニットと、
光源と、
前記光源を支持し、外周壁に係止部材を取り付ける係止部材取付部が設けられる枠体と、
を備える照明装置。
【請求項１０】
前記枠体に支持され、駆動源の駆動力により前記枠体内を通り前記枠体の開口面に沿う回転軸を中心に前記光源とともに回動する回動部、
をさらに備える請求項９に記載の照明装置。
【請求項１１】
他の駆動源の駆動力により、前記回転軸とは異なる他の回転軸を中心に回動し、前記回転軸を中心に回動可能に前記回動部を支持する他の回動部、
をさらに備える請求項１０に記載の照明装置。
【請求項１２】
請求項９〜１１のいずれか１項に記載の照明装置を筐体内に複数個配置した照明ユニット。
【発明の詳細な説明】
【技術分野】
【０００１】
本発明は、取付部材、取付ユニット、照明装置及び照明ユニットに関する。
【背景技術】
【０００２】
従来から、ダウンライト（ユニバーサル）等の種々の照明装置が提供されている。例えば、ダウンライトとして用いられる照明装置は天井に埋め込まれて用いられる。このような場合、照明装置は板バネを用いて天井に埋め込まれる。
【先行技術文献】
【特許文献】
【０００３】
【特許文献１】特開２０１２−０４８９９６号公報
【発明の概要】
【発明が解決しようとする課題】
【０００４】
このようなダウンライト等の照明装置においては、板バネにより天井等の設置面に取り付ける場合に限らず、種々の態様において利用可能にすることが望まれている。
【０００５】
本発明は、上記に鑑みてなされたものであって、板バネ等の係止部材による取付構造を有する照明装置の種々の取付態様による取付けを可能にすることができる取付部材、取付ユニット、照明装置及び照明ユニットを提供することを目的とする。
【課題を解決するための手段】
【０００６】
上述した課題を解決し、目的を達成するために、本発明の一態様に係る取付部材は、光源を支持する枠体であって、外周壁に係止部材を取り付ける係止部材取付部が設けられる枠体を有する照明装置の取付けに用いられる取付部材であって、前記枠体の外周壁に沿って配置される基部に設けられ、前記枠体の前記係止部材取付部に取り付けられる第１取付部と、前記基部の一端部に設けられ、前記照明装置と異なる被取付対象に取り付けられる第２取付部と、を備える。
【発明の効果】
【０００７】
本発明の一態様によれば、係止部材による取付構造を有する照明装置の種々の取付態様による取付けを可能にすることができる。
【図面の簡単な説明】
【０００８】
【図１】図１は、実施形態に係る照明ユニットを示す斜視図である。
【図２】図２は、実施形態に係る照明装置を示す斜視図である。
【図３】図３は、実施形態に係る取付ユニットを示す斜視図である。
【図４】図４は、実施形態に係る取付部材を示す斜視図である。
【図５】図５は、実施形態に係る枠体を示す斜視図である。
【図６】図６は、実施形態に係る枠体を示す斜視図である。
【図７】図７は、実施形態に係る第１回動部を示す斜視図である。
【図８】図８は、実施形態に係る第１駆動部を示す斜視図である。
【図９】図９は、実施形態に係る第２駆動部を示す斜視図である。
【図１０】図１０は、実施形態に係る取付部材の枠体への取付けを示す図である。
【図１１】図１１は、実施形態に係る取付部材の枠体への取付けを示す図である。
【図１２】図１２は、実施形態に係る規制部材を示す斜視図である。
【図１３】図１３は、実施形態に係る照明ユニットを示す斜視図である。
【図１４】図１４は、実施形態に係る筐体と取付部材との関係を示す要部斜視図である。
【図１５】図１５は、実施形態に係る放熱フィンと取付部材との関係を示す要部斜視図である。
【図１６】図１６は、実施形態に係る照明セットを示す背面図である。
【図１７】図１７は、実施形態に係る照明ユニットの照明セットの配設例を示す図である。
【図１８】図１８は、係止部材としての板バネを取り付けた場合の照明装置を示す図である。
【発明を実施するための形態】
【０００９】
以下の実施形態においては、取付部材４０を用いて複数の照明装置１が取り付けられた照明ユニット１００について図面を参照して説明する。また、以下に説明する実施形態に係る照明ユニット１００により照明装置１の用途が限定されるものではない。照明装置１は、照明ユニット１００に限らず、単体の照明装置１として等、目的に応じてどのような構成として用いられてもよい。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１０】
（実施形態）
まず、図１及び図２を用いて、照明ユニット１００及び照明装置１の構成の概要を説明する。図１は、照明ユニット１００の筐体８０の光取出し面側から見た斜視図である。すなわち、図１は、照明装置１の光源部３１側から見た斜視図である。なお、図１では、光源部３１の光源３１１を示すためレンズ（光学部材）の図示を省略する。また、図２は、実施形態に係る照明装置を示す斜視図である。具体的には、図２は、照明装置１の光源部３１の反対側から見た斜視図である。
【００１１】
以下では、後述する第１回動部２０の回転軸である第１の回転軸に沿う方向をＹ軸とし、Ｘ軸およびＺ軸は、Ｙ軸に直交する面内において直交する軸とする。例えば、Ｘ軸は、照明装置１の取付け時の位置（初期位置）における第２回動部３０の回転軸である第２の回転軸に沿う方向である。なお、以下では、照明装置１の各構成について、照明装置１の傾斜等の向きの変更について言及している箇所以外は、照明装置１の初期位置の状態を基準に説明する。
【００１２】
図１に示すように、照明ユニット１００、筐体８０内に３つの照明装置１−１〜１−３が取り付けられる。なお、照明装置１−１〜１−３を区別しない場合、照明装置１と記載する。各照明装置１は、取付ユニット４により筐体８０に取り付けられるが、詳細は後述する。まず、照明装置１の各構成について説明する。
【００１３】
図２に示すように、照明装置１は、枠体１０と、角度調整装置３と、複数個の取付ユニット４と、カバー５とを有する。また、照明装置１は、電源部７０からケーブル７１により電源が供給される。例えば、図１に示すように、照明装置１−１は、電源部７０−１からケーブル７１により電源が供給される。以下では、照明装置１−１と電源部７０−１とを併せて照明セット２−１と記載する。また、照明装置１−２は、電源部７０−２（図１３参照）からケーブル７１により電源が供給される。以下では、照明装置１−２と電源部７０−２とを併せて照明セット２−２と記載する。また、照明装置１−３は、電源部７０−３（図１３参照）からケーブル７１により電源が供給される。以下では、照明装置１−３と電源部７０−３とを併せて照明セット２−３と記載する。なお、照明セット２−１〜２−３を区別しない場合、照明セット２と記載する。
【００１４】
また、照明装置１は、例えばＬＥＤ（Light  Emitting  Diode）等の光源３１１を含む光源部３１や、リフレクタ３２や、上述したレンズを保持する保持部材３３等を有する。また、光源３１１は、チップオンボード（ＣＯＢ：Chip  On  Board）等であってもよい。光源部３１は、角度調整装置３の第２回動部３０に取り付けられるが詳細は後述する。また、照明装置１は、図３に示すような取付ユニット４により、筐体８０に取り付けられる。図３は、実施形態に係る取付ユニットを示す斜視図である。
【００１５】
また、図２及び図３に示すように、取付ユニット４は、第１取付部材としての取付部材４０−１と、第２取付部材としての取付部材４０−２とを有する。なお、取付部材４０−１と取付部材４０−２とは、図４に示すような共通の取付部材４０である。図４は、実施形態に係る取付部材を示す斜視図である。具体的には、取付部材４０−１と取付部材４０−２とは、共通の取付部材４０であり、取付部材４０−１、４０−２を区別しない場合、取付部材４０と記載する。なお、取付ユニット４及び取付部材４０の詳細は後述する。
【００１６】
まず、照明装置１の回動に関する構成である枠体１０や角度調整装置３について説明する。図５及び図６に示すように、枠体１０の基部１１は、円筒状（断面が円環状）に形成される。図５及び図６は、実施形態に係る枠体を示す斜視図である。具体的には、図５は、枠体１０を内歯１１１が形成される端部側から見た斜視図である。また、図６は、枠体１０を外フランジ部１１２が形成される端部側から見た斜視図である。例えば、枠体１０は、樹脂等により形成される。また、枠体１０には、上述の取付ユニット４が取り付けられる。以下では、Ｙ軸正方向を上方向とし、Ｙ軸負方向を下方向とし、Ｙ軸に直交する方向を水平方向とする。この場合、例えば、Ｙ軸負方向が重力方向となり、Ｙ軸に直交する平面が水平面となる。
【００１７】
また、枠体１０の基部１１の内周面には、内歯１１１が形成される。具体的には、基部１１の軸方向の一端（以下、「上端」ともいう）には内周に沿って、内歯１１１が形成される。また、基部１１には、内周面に沿って、内フランジ部１２が形成される。具体的には、基部１１の軸方向の中央部には内周面から中心に向かって延びる内フランジ部１２が形成される。内フランジ部１２には、上端側へ突出した一対の突出部１２１、１２２（図８参照）が形成される。例えば、一対の突出部１２１、１２２は、内フランジ部１２において、第１の回転軸を挟んで対向する位置に設けられる。なお、照明装置１は、枠体１０の一対の突出部１２１、１２２と後述するリミットスイッチ２８（図８参照）とにより、角度調整装置３の枠体１０の軸を中心とする回動が規制されるが、詳細は後述する。
【００１８】
また、基部１１の外周面には、外フランジ部１１２が形成される。具体的には、基部１１の軸方向の他端（以下、「下端」ともいう）には外周面から外側に向かって延びる外フランジ部１１２が形成される。また、図１に示すように、枠体１０の基部１１の下端側には、カバー１１０が設けられる。
【００１９】
また、基部１１の外周面には、複数の係止部材取付部としての複数の板バネ固定部１３が設けられる。例えば、基部１１の外周壁には、３つの板バネ固定部１３−１、１３−２、１３−３が、外周に沿って等間隔で設けられる。図５に示す例では、３つの板バネ固定部１３−１、１３−２、１３−３が、基部１１の外周壁に沿って１２０°間隔で設けられる。なお、板バネ固定部１３−１〜１３−３を区別しない場合、板バネ固定部１３と記載する。なお、照明装置１においては、係止部材が板バネである場合を一例として示すが、係止部材は板バネに限らず、コイルばねやフック等の種々の係止部材であってもよい。
【００２０】
また、各板バネ固定部１３には、基部１１の下端側に開口部１３１が設けられる。ここで、係止部材としての板バネ４００を用いる場合の板バネ固定部１３への取付けについて、図１８を用いて説明する。図１８は、係止部材としての板バネを取り付けた場合の照明装置を示す図である。
【００２１】
図１８に示す照明装置５００は、取付ユニット４に替えて、複数の板バネ４００を用いる点以外は照明装置１と同様の構成である。図１８に示すように、照明装置５００においては、枠体１０の板バネ固定部１３−１、１３−２、１３−３の各々には、板バネ４００が取り付けられる。例えば、各板バネ固定部１３の開口部１３１に板バネ４００の一端部が挿通され、枠体１０内の部材にねじ部材等により取り付けられる。これにより、照明装置５００においては、各板バネ固定部１３に板バネ４００が取り付けられる。この場合、照明装置５００の枠体１０は、例えば天井面や壁面等の設置面に設けられた埋込穴に埋設される。例えば、照明装置５００は、枠体１０の外周から外側へ向かって延びる各板バネ固定部１３により埋込穴に嵌り、設置面に設置される。一方、照明装置１は、板バネ固定部１３を板バネによる設置以外に利用するが、この点については後述する。
【００２２】
角度調整装置３は、第１回動部２０と、第２回動部３０とを有する。
【００２３】
図７に示すように、第１回動部２０は、円筒状に形成される。図７は、実施形態に係る第１回動部を示す斜視図である。例えば、第１回動部２０は、樹脂等により形成される。第１回動部２０は、円筒状の基部２１に開口部２２を有する。基部２１には外周面から外側へ延びる外フランジ部２３が形成される。
【００２４】
図８に示すように、第１回動部２０の外フランジ部２３は、枠体１０の内フランジ部１２によって摺動可能に支持される。図８は、実施形態に係る第１駆動部を示す斜視図である。これにより、第１回動部２０は、枠体１０によって水平方向へ回転可能に支持される。また、第１回動部２０の基部２１の内周面には、第２回動部３０を上下方向に回転可能に支持する軸受部２４、２５が設けられるが、詳細は後述する。
【００２５】
また、第１回動部２０には、後述する第１駆動部２６の第１ブラケット２６０を介してリミットスイッチ２８が取り付けられる。第１回動部２０の回動とともにリミットスイッチ２８の位置も変化する。また、上述のように枠体１０の内フランジ部１２には、一対の突出部１２１、１２２が設けられる。ここに、第１回動部２０は、内フランジ部１２の一対の突出部１２１、１２２により、後述する第１駆動部２６による水平方向の回転が規制される。リミットスイッチ２８には、レバー２８１が設けられる。すなわち、角度調整装置３は、第１回動部２０に取り付けられたリミットスイッチ２８と内フランジ部１２の一対の突出部１２１、１２２とにより、第１回動部２０の水平方向の回転動作を電気的に検出する。
【００２６】
角度調整装置３は、内フランジ部１２の一対の突出部１２１、１２２のいずれかによってリミットスイッチ２８のレバー２８１が回動されることにより、設定した回転角度のリミットを検出し、後述する第１モータ２６１の作動を停止するなど、モータ制御に利用する。本実施形態において、第１回動部２０は、リミットスイッチ２８と内フランジ部１２の一対の突出部１２１、１２２とにより、水平方向への回転角度を略１８０°の範囲にするものとする。
【００２７】
第２回動部３０は、第１回動部２０に支持され、第１の回転軸とは異なる第２の回転軸を中心に回動する。第２回動部３０の基部３０１の一面には、光源部３１が取り付けられる。例えば、第２回動部３０は、基部３０１の光源部３１が配置される一面を、第１回動部２０の開口部２２に臨むように配置される。これにより、光源部３１から放射された光が、第１回動部２０の開口部２２及び、枠体１０内を通って外部は出射される。また、光源部３１には、ケーブル７１により電力が供給される。なお、ケーブル７１は、カバー５の貫通孔から照明装置１外へ引き出されるが、詳細は後述する。
【００２８】
また、図２に示すように、第２回動部３０の基部３０１の光源部３１が配置される一面の裏面側には、放熱部６０が設けられる。すなわち、第２回動部３０は、放熱部６０と一体に形成される。なお、第２回動部３０と放熱部６０とは別体であってもよい。例えば、放熱部６０は、光源部３１が配置される一面が臨む向きとは反対方向に突出する複数の放熱フィン６１を有する。
【００２９】
図８及び図９に示すように、第２回動部３０の外周面には、一対の軸支部３０２、３０４が設けられる。図９は、実施形態に係る第２駆動部を示す斜視図である。例えば、基部３０１の光源部３１が配置される一面の側周面には、対向する位置に第２回動部３０に支持される一対の軸支部３０２、３０４が設けられる。具体的には、一対の軸支部３０２、３０４は、第２回動部３０の軸線に直交する１つの直線上（同一直線上）に配置される。また、照明装置１においては、第１回動部２０による回動により、軸支部３０２、３０４はＸＺ平面内において位置が変更される。
【００３０】
また、軸支部３０２の中央部に形成された挿通孔（図示省略）には、軸部材３０３の一端が嵌合される。また、軸支部３０４の中央部に形成された挿通孔（図示省略）には、軸部材３０５の一端が嵌合される。
【００３１】
図８に示すように、軸支部３０２に嵌合された軸部材３０３の他端部は、軸受部２４に支持される。例えば、軸支部３０２に嵌合された軸部材３０３の他端部が、軸受部２４の挿通孔に挿通されることにより、軸支部３０２が軸受部２４により支持される。また、図９に示すように、軸支部３０４に嵌合された軸部材３０５の他端部は、軸受部２５に支持される。例えば、軸支部３０４に嵌合された軸部材３０５の他端部が、軸受部２５の挿通孔に挿通されることにより、軸支部３０４が軸受部２５により支持される。これにより、第２回動部３０は、第１回動部２０によって軸支部３０２、３０４の軸線を中心に鉛直方向（垂直方向）へ回転可能に支持される。
【００３２】
ここから、第１回動部２０を水平方向へ回転駆動する第１駆動部２６と、第２回動部３０を鉛直方向へ回転駆動する第２駆動部３５とについて説明する。
【００３３】
図８に示すように、第１駆動部２６は、駆動源としての第１モータ２６１を有する。第１モータ２６１の出力回転軸（図示省略）にはギア２６２が装着されている。第１モータ２６１は、第１回動部２０に取り付けられた第１ブラケット２６０に固定される。例えば、第１モータ２６１は、出力回転軸を第１ブラケット２６０の貫通孔（図示省略）に挿通させ、ねじ等の取付機構により第１ブラケット２６０に固定されることにより、第１モータ２６１の出力回転軸の向きが枠体１０の開口面に交差するように配置される。例えば、第１モータ２６１の第１モータ２６１の出力回転軸の向きは、Ｙ軸に沿う方向となる。例えば、第１モータ２６１にはステッピングモータが用いられ、第１モータ２６１から延びるリード線（図示省略）により駆動回路（図示省略）に接続される。
【００３４】
第１モータ２６１の駆動により回転するギア２６２は、小径ギア２６３と噛み合う。また、小径ギア２６３が取り付けられた回転軸（図示省略）には、大径ギア２６４が装着されている。すなわち、大径ギア２６４は、小径ギア２６３とともに回転する。なお、小径ギア２６３と大径ギア２６４とは一体成型されてもよい。また、大径ギア２６４が、枠体１０の内周に沿って形成された内歯１１１に噛み合わされる。これにより、第１駆動部２６の出力に応じて、第１回動部２０が水平方向に回転する。
【００３５】
第１ブラケット２６０には、コイル状に形成されたばね部材２７が設けられる。例えば、ばね部材２７は、トーションばね（ねじりばね）が用いられる。また、ばね部材２７は、基部３０１の側周面に沿って配置される。ばね部材２７は、第２回動部３０の回転軸に軸を沿わせて配置される。また、図８に示すように、ばね部材２７は、一端部２７１を第２回動部３０の基部３０１に設けられた係止部３０１１に係止される。また、ばね部材２７は、他端部２７２を第１ブラケット２６０に係止される。これにより、ばね部材２７は、第２回動部３０を回転方向に付勢する。
【００３６】
次に、図９を用いて、第２回動部３０を回動させる第２駆動部３５について説明する。図９は、実施形態に係る第２駆動部を示す斜視図である。図９に示すように、第２駆動部３５は、駆動源としての第２モータ３５１や第２ブラケット（図示省略）や取付ギア３４を有する。なお、図９は、第２駆動部３５の構成を説明するために、第２ブラケットを除いた状態を示す。また、図９に示す第２駆動部３５の構成は、第２ブラケットにより保持される位置（状態）を示す。
【００３７】
第２モータ３５１の出力回転軸（図示省略）にはギア３５２が装着されている。図９に示すように、第２モータ３５１は、第１回動部２０に取り付けられた第２ブラケットに固定される。例えば、第２モータ３５１は、ねじ等の取付機構により第２ブラケットに固定されることにより、第２モータ３５１の出力回転軸の向きが枠体１０の開口面に沿うように配置される。例えば、第２モータ３５１の出力回転軸の向きは、Ｙ軸に直交する方向となる。例えば、第２モータ３５１にはステッピングモータが用いられ、第２モータ３５１から延びるリード線（図示省略）により駆動回路（図示省略）に接続される。
【００３８】
第２モータ３５１の駆動により回転するギア３５２は、大径ギア３５３と噛み合う。また、大径ギア３５３が取り付けられた回転軸３５４には、小径ギア３５５が装着されている。すなわち、小径ギア３５５は、大径ギア３５３とともに回転する。なお、大径ギア３５３と小径ギア３５５とは一体成型されてもよい。なお、大径ギア３５３、回転軸３５４、及び小径ギア３５５は、第２ブラケットに回転可能に支持される。
【００３９】
取付ギア３４は、小径ギア３５５と噛み合う。例えば、取付ギア３４は、第２回動部３０の基部３０１に設けられた挿通孔にねじ部材等により取り付けられることにより第２回動部３０に固定される。これにより、第２駆動部３５の出力に応じて、第２回動部３０が鉛直方向に回転する。
【００４０】
また、第２ブラケットには、一対のリミットスイッチ３６１、３６２を有するスイッチ部３６が設けられる。ここで、一対のリミットスイッチ３６１、３６２は、第２回動部３０の回転軸に交差する方向において、軸支部３０４を挟む位置に配置される。ここに、第２回動部３０は、一対のリミットスイッチ３６１、３６２により、第２駆動部３５による鉛直方向の回転が規制される。リミットスイッチ３６１、３６２は、先端部の枠体１０の開口面からの距離が等しい位置に配置される。すなわち、角度調整装置３は、第２ブラケットに取り付けられたリミットスイッチ３６１、３６２と基部３０１とにより、第２回動部３０の鉛直方向への回転動作を電気的に検出する。
【００４１】
角度調整装置３は、基部３０１によってリミットスイッチ３６１、３６２のいずれか一方の先端部が押圧されることにより、設定した回転角度のリミットを検出し、第２モータ３５１の作動を停止するなど、モータ制御に利用する。
【００４２】
ここから、照明装置１の筐体８０への取付けについて詳述する。図１に示すように、筐体８０は、ボディ部８１と、第１カバー部８２と、第２カバー部８３と、外枠部８４と、縁部８５と、スリーブ部８６とを有する。例えば、筐体８０は、アルミ等の金属材料により形成されてもよい。なお、筐体８０の各構成は、異なる材料により形成されてもよい。
【００４３】
筐体８０は、対向する両面が開口した矩形筒状に形成される。また、ボディ部８１の光取出面とは反対側の面（以下、「ボディ部８１の背面」ともいう）は、一部に開口部８２４（図１７参照）を有する第１カバー部８２により塞がれる。また、ボディ部８１の背面のうち、第１カバー部８２に塞がれる部分以外、すなわち、第１カバー部８２の開口部８２４は、第２カバー部８３により塞がれる。また、外枠部８４は、ボディ部８１の光取出面の周端の外周側に設けられる。例えば、外枠部８４は、ボディ部８１の外周壁に沿って延びる取付片８４１（図１３参照）がねじ止めされることにより、ボディ部８１に取り付けられる。また、縁部８５は、ボディ部８１の光取出面の周端の内周側に設けられる。また、スリーブ部８６は、ボディ部８１の光取出面側の内周壁に沿って設けられる。筐体８０内には、各照明装置１が、取付ユニット４が、スリーブ部８６に係止されるとともに、ボディ部８１にねじ止めされることにより、取り付けられるが詳細は後述する。
【００４４】
ここで、取付ユニット４について詳述する。図２及び図３に示すように、取付ユニット４は、取付部材４０−１と、取付部材４０−２との２つの取付部材４０を有する。例えば、取付部材４０は、アルミ等の金属材料により形成される。図４に示すように、取付部材４０は、基部４１と、第１取付部４１１と、第２取付部４２２とを有する。
【００４５】
基部４１は、枠体１０の基部１１の外周壁に沿う形状に形成される。図４に示す例では、基部４１は、枠体１０の基部１１の外周壁の半周に沿う形状に形成される。また、第１取付部４１１は、基部４１に設けられ、枠体１０の板バネ固定部１３に取り付けられる。
【００４６】
基部４１には、周方向に沿って複数の第１取付部４１１が設けられる。例えば、基部４１の高さ方向の端部（図４では下端部）は、３つの第１取付部４１１が、突設される。図４に示す例では、３つの第１取付部４１１が、基部４１の周方向に沿って６０°間隔で設けられる。なお、板バネ固定部１３−１〜１３−３を区別しない場合、板バネ固定部１３と記載する。また、第１取付部４１１には、枠体１０への取付けに用いられる挿通孔４１２が設けられる。
【００４７】
また、第２取付部４２２は、基部４１の一端部４２に設けられ、筐体８０に取り付けられる。また、基部４１の一端部４２とは反対側の他端部に設けられ、一端部４２から離れる方向に延びる他端部４３には、他の取付部材４０との連結に用いられる挿通孔４３１が設けられる。このように、基部４１の他端部４３が第１連結部として機能する。
【００４８】
基部４１の一端部４２には、他端部４３から離れる方向に延びる第２連結部４２１と、第２連結部４２１に連続し第２連結部４２１が延びる方向と交差する方向に延びる第２取付部４２２とが設けられる。第２取付部４２２には、筐体８０への取付に用いられる挿通孔４２３、４２３が設けられる。また、第２連結部４２１には、他の取付部材４０との連結に用いられる挿通孔４２４が設けられる。また、第２取付部４２２における高さ方向の一端部（図４では上端部）に凹部４２５が形成される。また、第２連結部４２１における高さ方向の一端部（図４では上端部）には、基部４１に近づくにつれて、第２連結部４２１における高さ方向の他端部（図４では下端部）に近づくように傾斜したテーパ部４２６が形成される。
【００４９】
図３に示すように、取付部材４０−１の第２連結部４２１に対応する位置に、取付部材４０−２の他端部４３が位置する。また、取付部材４０−２の第２連結部４２１に対応する位置に、取付部材４０−１の他端部４３が位置する。図３及び図１０に示すように、取付部材４０−１の第２連結部４２１に設けられた挿通孔４２４及び、取付部材４０−２の他端部４３に設けられた挿通孔４３１にねじ部材４３２が取り付けられる。図１０は、実施形態に係る取付部材の枠体への取付けを示す図である。これにより、取付部材４０−１の一端部４２と取付部材４０−２の他端部４３とが連結される。
【００５０】
また、図３及び図１１に示すように、取付部材４０−２の第２連結部４２１に設けられた挿通孔４２４（図４参照）及び、取付部材４０−１の他端部４３に設けられた挿通孔４３１にねじ部材４３２が取り付けられる。図１１は、実施形態に係る取付部材の枠体への取付けを示す図である。これにより、取付部材４０−２の一端部４２と取付部材４０−１の他端部４３とが連結される。このように、各々対応する一端部４２及び他端部４３が連結された取付部材４０−１及び取付部材４０−２が取付ユニット４として機能する。このように取付部材４０−１と取付部材４０−２とが連結された取付ユニット４は、図２に示すように枠体１０の基部１１の全周を覆うように基部１１の外周壁に沿って配置される。すなわち、取付ユニット４が基部１１の全周を覆うように基部１１の外周壁に沿って配置されることにより、取付部材４０−１及び取付部材４０−２の６つの第１取付部４１１が、枠体１０の基部４１の周方向に沿って６０°間隔で配置される。
【００５１】
また、図１０に示すように、取付部材４０−１は、３つの第１取付部４１１のうち、２つの第１取付部４１１を用いて、枠体１０に取り付けられる。具体的には、取付部材４０−１は、３つの第１取付部４１１のうち、一端部４２と他端部４３との間において両端に位置する２つの第１取付部４１１、４１１（以下、「両端の第１取付部４１１、４１１」ともいう）を用いて、枠体１０に取り付けられる。図１０に示す例では、両端の第１取付部４１１、４１１は、２つの板バネ固定部１３−１、１３−２の各々に取り付けられる。例えば、両端の第１取付部４１１、４１１は、２つの板バネ固定部１３−１、１３−２の各々にねじ部材４１３により取り付けられる。
【００５２】
上述したように、取付部材４０において、３つの第１取付部４１１が、基部４１の周方向に沿って６０°間隔で設けられる。すなわち、両端の第１取付部４１１、４１１の間は１２０°間隔となる。したがって、枠体１０の基部１１の外周壁に沿って１２０°間隔で設けられた板バネ固定部１３−１、１３−２に取り付けることが可能となる。
【００５３】
また、図１１に示すように、取付部材４０−２は、３つの第１取付部４１１のうち、１つの第１取付部４１１を用いて、枠体１０に取り付けられる。具体的には、取付部材４０−１は、３つの第１取付部４１１のうち、一端部４２と他端部４３との間において中央に位置する１つの第１取付部４１１（以下、「中央の第１取付部４１１」ともいう）を用いて、枠体１０に取り付けられる。図１１に示す例では、中央の第１取付部４１１は、１つの板バネ固定部１３−３に取り付けられる。例えば、中央の第１取付部４１１は、１つの板バネ固定部１３−３にねじ部材４１３により取り付けられる。
【００５４】
このように、取付部材４０には、枠体１０の板バネ固定部１３に対応する数の第１取付部４１１が設けられる。例えば、取付部材４０には、枠体１０に設けられる奇数個の板バネ固定部１３と同じ数だけの第１取付部４１１が設けられる。図１０及び図１１に示す例では、取付部材４０には、枠体１０の３つの板バネ固定部１３に対応する３つの第１取付部４１１が設けられる。これにより、第１取付部材である取付部材４０−１と第２取付部材である取付部材４０−２とに共通の取付部材４０を用いることが可能となる。そのため、取付部材４０を共通化することにより、製造コスト等を低減することができる。
【００５５】
ここで、第１取付部４１１は、挿通孔４１２に挿通されたねじ部材４１３が、板バネ固定部１３に嵌ることにより枠体１０に取り付けられる。例えば、取付部材４０は、第１取付部４１１の挿通孔４１２に挿通されたねじ部材４１３の先端が、板バネ固定部１３とカバー１１０との間に嵌ることにより、枠体１０に対して第１の回転軸の方向への移動が規制された状態で、枠体１０に取り付けられる。一方、取付部材４０は、ねじ部材４１３の先端が移動可能な範囲に応じて、枠体１０に対して第１の回転軸を中心とする回転方向への移動可能な状態で、枠体１０に取り付けられる。
【００５６】
そのため、図１１の例では、取付部材４０−２は、枠体１０に対して第１の回転軸を中心とする回転方向への移動を規制する規制部材５０を用いて、中央の第１取付部４１１を板バネ固定部１３−３に取り付けられる。図１２に示すように、規制部材５０は、貫通孔５１１が設けられる基部５１と、基部の両端部から突出する一対の規制片５２、５２とを有する。図１２は、実施形態に係る規制部材を示す斜視図である。規制部材５０は、取付部材４０−２の中央の第１取付部４１１の挿通孔４１２に貫通孔５１１が重なるように配置される。
【００５７】
また、規制部材５０は、枠体１０の基部１１の周方向において、板バネ固定部１３−３の開口部１３１と中央の第１取付部４１１との間に形成される間隙に、一対の規制片５２、５２が挿通される。そして、規制部材５０の貫通孔５１１、中央の第１取付部４１１の挿通孔４１２、及び板バネ固定部１３−３の開口部１３１にねじ部材４１３が挿通される。これにより、取付部材４０−２は、枠体１０に対して第１の回転軸を中心とする回転方向への移動が規制された状態で、枠体１０に取り付けられる。これにより、取付ユニット４は、枠体１０に対して第１の回転軸を中心とする回転方向への移動が規制された状態で、枠体１０に取り付けられる。
【００５８】
また、図１３及び図１４に示すように、取付部材４０は、ねじ部材８１４により、ボディ部８１に設けられた取付部８１１、８１２、８１３に取り付けられる。例えば、取付部８１１、８１２、８１３の各々は、ボディ部８１に一対ずつ設けられる。例えば、取付部８１１は、ボディ部８１の対向する面の各々に１つずつ設けられる。図１３は、実施形態に係る照明ユニットを示す斜視図である。図１４は、実施形態に係る筐体と取付部材との関係を示す要部斜視図である。具体的には、図１４は、照明装置１−１のボディ部８１への取付態様を示す図である。
【００５９】
図１４に示すように、照明装置１−１は、取付部材４０−１の第２取付部４２２をボディ部８１の取付部８１１に沿わせて、筐体８０に取り付けられる。例えば、取付部材４０−１は、第２取付部４２２に設けられた挿通孔４２３、及び取付部８１１の貫通孔（図示省略）に挿通されたねじ部材８１４により、筐体８０に取り付けられる。また、図示は省略するが、取付部材４０−２は、第２取付部４２２に設けられた挿通孔４２３、及び取付部８１１の貫通孔（図示省略）に挿通されたねじ部材８１４により、筐体８０に取り付けられる。これにより、照明装置１−１は、筐体８０に取り付けられる。
【００６０】
同様に、照明装置１−２は、取付部材４０の第２取付部４２２及び取付部８１２の貫通孔（図示省略）にねじ部材８１４が挿通されることにより、筐体８０に取り付けられる。また、照明装置１−３は、取付部材４０の第２取付部４２２及び取付部８１３の貫通孔（図示省略）にねじ部材８１４が挿通されることにより、筐体８０に取り付けられる。
【００６１】
また、図１５に示すように、取付部材４０は、一部がスリーブ部８６の切欠溝８６１に嵌るように配置される。図１５は、実施形態に係る放熱フィンと取付部材との関係を示す要部斜視図である。例えば、取付部材４０は、第２連結部４２１がスリーブ部８６の切欠溝８６１に嵌るように配置される。これにより、取付部材４０は、スリーブ部８６により保持される。
【００６２】
また、図１５は、第２回動部３０が回動し、放熱フィン６１が第１回動部２０の回転軸から離れる方向へ突出した状態を示す。取付部材４０は、第２取付部４２２に設けられた凹部４２５や第２連結部４２１に設けられたテーパ部４２６により、第２回動部３０が回動により突出する放熱フィン６１が取付部材４０に当接することを抑制できる。すなわち、取付部材４０は、第２取付部４２２に設けられた凹部４２５や第２連結部４２１に設けられたテーパ部４２６により、第２回動部３０による回動を妨げることなく、照明装置１を筐体８０に取り付けることが可能となる。
【００６３】
図１３に示すように、照明ユニット１００は、３つの照明セット２−１、２−２、２−３の配設後において、ボディ部８１の背面に設けられる第１カバー部８２及び第２カバー部８３上には、各照明セット２−１、２−２、２−３の電源部７０−１、７０−２、７０−３が配設される。具体的には、照明セット２−１の電源部７０−１が第２カバー部８３上に配設される。また、照明セット２−２、２−３の電源部７０−２、７０−３が第１カバー部８２上に配設される。
【００６４】
また、各照明セット２−１、２−２、２−３のケーブル７１−１、７１−２、７１−３は、第１カバー部８２に設けられたブリッジワイヤ８２１に一部が保持される。図１３に示す例では、照明セット２のケーブル７１は、タイバンド８２２により、ブリッジワイヤ８２１に一部が保持される。照明セット２の電源部７０から延びるケーブル７１は、ケーブルブッシュ８２３を介して、筐体８０内へ挿通され、照明装置１に接続される。
【００６５】
ここから、図１６及び図１７を用いて、照明ユニット１００における照明セット２の配設について説明する。図１６は、実施形態に係る照明セットを示す背面図である。図１７は、実施形態に係る照明ユニットの照明セットの配設例を示す図である。具体的には、図１７は、照明セット２−２、２−３が配設された状態の照明ユニット１００を示す図である。
【００６６】
図１６に示すように、照明セット２は、照明装置１と、照明装置１との間がケーブル７１で接続された電源部７０とを有する。照明装置１と電源部７０との間に設けられるケーブル７１は、保持部材７２により保持される。保持部材７２は、第１回動部２０の放熱部６０側に配置され、第１回動部２０とともに回動する。例えば、保持部材７２は、アルミニウム等の金属材料により形成される。なお、保持部材７２は、ケーブル７１を所望の方向に保持することができれば、どのような材料により形成されてもよい。また、保持部材７２は、第１回動部２０から放熱部６０側に離れた位置においてケーブル８を第１の回転軸に沿わせて保持する。
【００６７】
このような、照明装置１と電源部７０とが一体となった照明セット２においては、照明装置１と電源部７０とを個別に配設することが不可能である。そのため、照明ユニット１００においては、ボディ部８１の背面に設けられる第１カバー部８２と、第２カバー部８３との構造を利用して、照明ユニット１００に各照明セット２−１、２−２、２−３を配設する。
【００６８】
まず、照明ユニット１００は、第２カバー部８３を取り付けていない状態において、照明セット２−２、２−３が配設される。なお、第１カバー部８２の開口部８２４は、電源部７０が挿通可能なサイズであるものとする。
【００６９】
図１７に示すように、照明ユニット１００は、照明セット２−２、２−３の電源部７０−２、７０−３が第１カバー部８２上に配設される。例えば、第１カバー部８２がボディ部８１に取り付けられた状態において、照明セット２−２、２−３の電源部７０−２、７０−３は、筐体８０内から第１カバー部８２の開口部８２４を通じて外部へ取り出され、第１カバー部８２上に配設される。また、照明セット２−２、２−３の照明装置１−２、１−３は、筐体８０において取付ユニット４により、筐体８０に取り付けられる。
【００７０】
また、照明セット２−２のケーブル７１−２は、開口部８２４に連通する挿通溝８２６内を通るように配置される。なお、図１７では図示を省略するが、挿通溝８２６には、図１３に示すケーブルブッシュ８２３が配置される。また、ケーブル７１−２をブリッジワイヤ８２１に取り付けるタイバンド８２２は、挿通溝８２６から離間した位置に設けられる。これにより、照明装置１−２の回動がケーブル７１−２に与える影響を抑制することができる。
【００７１】
また、照明セット２−３のケーブル７１−３は、開口部８２４に連通する挿通溝８２７内を通るように配置される。なお、図１７では図示を省略するが、挿通溝８２７には、図１３に示すケーブルブッシュ８２３が配置される。また、ケーブル７１−３をブリッジワイヤ８２１に取り付けるタイバンド８２２は、挿通溝８２７から離間した位置に設けられる。これにより、照明装置１−３の回動がケーブル７１−３に与える影響を抑制することができる。
【００７２】
照明セット２−２、２−３の配設後において、照明ユニット１００は、照明セット２−１の電源部７０−１が、筐体８０内から第１カバー部８２の開口部８２４を通じて外部へ取り出される。この場合、照明セット２−１のケーブル７１−１は、開口部８２４に連通する挿通溝８２５内を通るように配置される。なお、図１７では図示を省略するが、挿通溝８２５には、図１３に示すケーブルブッシュ８２３が配置される。また、ケーブル７１−１をブリッジワイヤ８２１に取り付けるタイバンド８２２は、挿通溝８２５から離間した位置に設けられる。これにより、照明装置１−１の回動がケーブル７１−１に与える影響を抑制することができる。
【００７３】
そして、照明ユニット１００は、照明セット２−１の電源部７０−１が、筐体８０内から外部へ取り出され、ケーブル７１−１が挿通溝８２５内に配置された状態において、第２カバー部８３をボディ部８１に取り付ける。これにより、照明ユニット１００は、各照明セット２の照明装置１を筐体８０内に配設し、各照明セット２の電源部７０を筐体８０外に配設した態様において、筐体８０の全外形部分を取り付けることができる。
【００７４】
そして、照明ユニット１００は、図１３に示すように、照明セット２−１の電源部７０−１が第２カバー部８３上に配設される。また、照明セット２−１の照明装置１−１は、筐体８０において取付ユニット４により、筐体８０に取り付けられる。これにより、照明ユニット１００は、照明装置１と電源部７０とが一体となった照明セット２を用いた場合であっても、容易に照明セット２の配設が可能となる。
【００７５】
例えば、照明ユニット１００は、例えば天井面や壁面等の設置面に設けられた埋込穴に埋設される。例えば、照明ユニット１００は、筐体８０のボディ部８１の背面側から埋込穴に挿通され、設置面に設置される。これにより、取付ユニット４により筐体８０に取り付けられることにより複数の照明装置１が一体となった照明ユニット１００として、複数の照明装置１が設置される。また、照明ユニット１００における各照明装置１は、筐体８０内において互いの回動を妨げない間隔をあけて配置される。例えば、照明装置１−２は、照明装置１−１と互いの回動を妨げない間隔をあけて配置される。また、例えば、照明装置１−３は、照明装置１−１と互いの回動を妨げない間隔をあけて配置される。すなわち、照明装置１−１は、照明装置１−２及び照明装置１−３と互いの回動を妨げない間隔をあけて配置される。
【００７６】
なお、例えば、角度調整装置３は、無線通信を使用して第１駆動部２６（第１モータ２６１）と第２駆動部３５（第２モータ３５１）とを遠隔操作する。例えば、角度調整装置３は、照明装置１の照射方向を無線操縦するための制御部を有する。制御部は、オペレータによって操作される送信部（リモートコントローラ）と、第２回動部３０に設けられて送信部から発せられた制御電波を受信する受信部と、受信部によって受信した制御電波に基づいて、第１モータ２６１や第２モータ３５１の作動を制御する制御装置と、を含む。なお、制御部には従来技術が適用される。したがって、明細書および図面の記載を簡潔にするため、制御部に関連する詳細な説明および図示を省略する。
【００７７】
例えば、角度調整装置３は、第１モータ２６１に１パルスの入力があったときの第１回動部２０の水平方向への回転角（角度変位量）と、第２モータ３５１に１パルスの入力があったときの第２回動部３０の鉛直方向への回転角（角度変位量）とが一致あるいは同程度となるように設定されている。換言すると、第１駆動部２６に１パルスの入力があったときの第１回動部２０の水平方向への回転角（角度変位量）と、第２駆動部３５に１パルスの入力があったときの第２回動部３０の鉛直方向への回転角（角度変位量）とが一致あるいは同程度となるように、第１駆動部２６と第２駆動部３５との変速比が決定されてもよい。
【００７８】
上述のように、照明装置１は、第１回動部２０が水平方向へ回転して、その結果、照射方向（照射軸）を鉛直線に対する傾斜角度を維持した状態で水平方向へ回転させることができる。なお、第１駆動部２６による第１回動部２０の水平方向への回転動作と、第２駆動部３５による第２回動部３０の鉛直方向への回転動作とを個別に説明したが、制御部は、オペレータによるリモートコントローラの操作によって、第１駆動部２６と第２駆動部３５とを同時に制御することができる。すなわち、角度調整装置３は、第１回動部２０の水平方向への回転動作と、第２回動部３０の鉛直方向への回転動作とを同時に行うことが可能である。
【００７９】
本実施形態によれば、第１回動部２０に、第１回動部２０を水平方向へ回転駆動するための第１駆動部２６と第２回動部３０を鉛直方向へ回転駆動するための第２駆動部３５とを配置して角度調整装置３を構成する。このような角度調整装置３を適用することで照明装置１を小型化、特に、全長を短くすることが可能であり、例えば、奥行きが制限された天井埋込型のユニバーサル型ダウンライトに好適な照明装置１を提供することができる。また、枠体１０の内周に内歯１１１を形成したことにより、枠体１０の外周に外歯を形成する場合と比較して、角度調整装置３の水平方向の寸法、延いては枠体１０の外径を小さく形成することが可能であり、より小さい埋込穴に対応することが可能な照明装置１を提供することができる。
【００８０】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【００８１】
例えば、図１に示すように、複数個の照明装置１−１〜１−３を筐体８０内に収納した照明ユニット１００として、天井に設置して、各照明装置１を無線通信で接続することにより、１つのリモートコントローラで複数個の照明装置１を同時に遠隔操作するように制御部を構成することができる。また、制御部は、無線通信による遠隔操作に限定されるものではなく、例えば、オペレータによって操作される操作部と角度調整装置３とをバイワイヤで接続してもよい。
【００８２】
また、実施形態においては照明ユニット１００として、照明装置１を用いる場合を示したが、取付ユニット４により、壁面等の被取付対象に取り付けることにより、照明装置１を用いてもよい。第１モータ２６１や第２モータ３５１についてはステッピングモータに限らず、ＤＣモータやＤＣブラシレスモータ、ＡＣモータなどを適用することが可能である。この場合も第１回動部２０の水平方向への回転角（角度変位量）と、第２回動部３０の垂直方向への回転角（角度変位量）とが一致あるいは同等とすることで、制御部による電流制御を簡易化することができる。
【００８３】
また、実施形態においては、駆動源の駆動力は、モータによる電動の駆動手段としたが、使用者の手等による手動の駆動手段であってもよい。また、操作対象としての光源は、ＬＥＤに限定されるものではなく、例えば、クリプトン球等の他の光源であってもよい。
【符号の説明】
【００８４】
１００  照明ユニット
１      照明装置
２      照明セット
３      角度調整装置
１０    枠体
１３    板バネ固定部（係止部材取付部）
２０    第１回動部
２６    第１駆動部
３０    第２回動部
３１    光源部
３１１  光源
３５    第２駆動部
４      取付ユニット
４０    取付部材
４１    基部
４１１  第１取付部
４２    一端部
４２１  第２連結部
４２２  第２取付部
４３    他端部
５      カバー
６０    放熱部
６１    放熱フィン
７０    電源部
７１    ケーブル
８０    筐体
８１    ボディ部
８２    第１カバー部
８３    第２カバー部
【図１】
2018195386.tif 000003
【図２】
2018195386.tif 000004
【図３】
2018195386.tif 000005
【図４】
2018195386.tif 000006
【図５】
2018195386.tif 000007
【図６】
2018195386.tif 000008
【図７】
2018195386.tif 000009
【図８】
2018195386.tif 000010
【図９】
2018195386.tif 000011
【図１０】
2018195386.tif 000012
【図１１】
2018195386.tif 000013
【図１２】
2018195386.tif 000014
【図１３】
2018195386.tif 000015
【図１４】
2018195386.tif 000016
【図１５】
2018195386.tif 000017
【図１６】
2018195386.tif 000018
【図１７】
2018195386.tif 000019
【図１８】
2018195386.tif 000020